(57)【要約】【課題】  簡単かつ安価に構成することのできる室内の給気口及び排気口の風力検査器具を提供すること。【解決手段】  所定長さを有する本体部（シャフト部１２）と、本体部１２にそれぞれ一端のみ固定され、他端が自由端とされ、前記給・排気の風力によってなびき得るように軽量に形成された複数の風動体１４と、を有し、これら複数の風動体１４は、複数の異なる比重のものが混在して設けられている。これにより、検査対象である室内の給気口及び排気口に近づけることだけで、当該給気口及び排気口における吹き出し、吸い込みの風力（作動しているか否か及び風の強弱）を視覚的に検知することが可能である。【選択図】  図３
2011158151.tif 000002
【特許請求の範囲】
【請求項１】
各種施設における給排気設備の給気風力、排気風力の状態を簡易に検査するための給排気設備の風力検査器具において、
所定長さを有する本体部と、
該本体部にそれぞれ一端のみ固定され、他端が自由端とされ、前記給・排気の風力によってなびき得るように軽量に形成された複数の風動体と、を有し、
前記複数の風動体は、複数の異なる比重のものが混在して設けられていることを特徴とする給排気設備の風力検査器具。
【請求項２】
前記風動体は、薄いテープ状の樹脂体にて形成され、前記比重のほぼ共通するグループごとに共通の彩色が施されたことを特徴とする請求項１に記載の給排気設備の風力検査器具。
【請求項３】
前記風動体の固定は、所定長さに亘って横並びにのれん状に取り付けられて行われたことを特徴とする給排気設備の風力検査器具。
【発明の詳細な説明】
【技術分野】
【０００１】
本発明は、給排気設備の風力検査器具、特に、病院等の種々の施設内における空調システム等の給気口、排気口の風力を検査するための風力検査器具に関する。
【背景技術】
【０００２】
各種施設では、一般に空調システムが完備されており、各部屋の壁部に末端の給排気のための給気口及び排気口が設置されている。このような空調システムにおいては、給排気装置につながる導路が、天井空間における配管等によって行われ、またそれらが多岐に分かれた構成が取られていることがある。したがって、末端の給気口からの吹き出し量や排気口からの吸い込み量が適切な状態になっていなかったり、場所毎に異なり、全域で一定性が保たれていない状態となっていることがある。そのような状況においては、給排気風力の調整が必要であり、特に、病院等では、室内空気の清浄や冷暖房による温度調節が患者のために重要であり、給気口及び排気口からの給排気の風力の確認作業が適宜行われ、風力の適切化が図られている。
【０００３】
この様な確認作業の場合、給気口及び排気口が壁部の比較的高い位置に設置されていることから、確認者が脚立に登って、給気口及び排気口まで自らの手を伸ばして確認したり、風になびく物をあてがって風量状態を確認しているのが現状である。
【０００４】
なお、換気口の性能測定方法に関する技術が特許文献１に開示されている。この技術は実際の住宅に設置される換気口の性能測定を正確に行うための測定方法に関するものである。
【先行技術文献】
【特許文献】
【０００５】
【特許文献１】特開平２００７−１２０８７３号公報
【発明の概要】
【発明が解決しようとする課題】
【０００６】
現状における施設内における給気口及び排気口の風力検査作業は、精密な風量測定装置を用いることは、費用、作業等様々な観点から困難であり、また、一方で、簡易且つ安定的にそれを行うための器具等が存在していない状況もある。したがって、給・排気口の風力検査は、それぞれの場所で様々な方法で行われており、脚立等に登る作業も含まれることから、転落事故につながる恐れもあり、また、多くの給排気口設置箇所の確認を行うには脚立の移動、位置設定など煩雑な作業を伴っている。また、脚立に登ったとしてもその状態での確認作業のための有効な風力確認用器具が存在していないことから、的確な風力の確認は難しく、正確な判断ができていないのが現状である。
【０００７】
また、特許文献１をはじめとして、空調システムにおける風力の測定に関する技術は、種々存在しているが、簡易且つ的確に室内壁部に有る給気口及び排気口における風力を検査することについての提案は存在していない。すなわち、電気的、機械的な構成により、風量を測定する風量測定装置を利用する技術思想は種々開示されているが、病院などの施設内において、頻繁に要請される給気口及び排気口における風力の簡易確認検査を好適、的確に行うための技術の開示はなされていない。
【０００８】
因みに、特許文献１は、「測定すべき換気口が設置される実大寸法の部屋を有するモデルハウスを構築」して、シミュレーションにより、「排気部から排出される風量、前記部屋内と屋外との気圧差を測定することで前記換気口の流量係数を算出するようにした」ものであり、風量検査の装置に関しての簡易、且つ的確な構成の提案などは存在しない。他の関連公報でもこの点は同様である。したがって、それらの開示技術を用い、また、改良を行っても上述した課題を解決する構成が得られていないというのが現状である。
【０００９】
本発明は、上記課題に鑑みてなされたものであり、その目的は、簡単かつ安価に構成することのできる室内の給気口及び排気口の風力検査器具を提供することにある。
【課題を解決するための手段】
【００１０】
上記目的を達成するため、本発明に係る給排気設備の風力検査器具は、
各種施設における給排気設備の給気風力、排気風力を簡易に検査するための給排気設備の風力検査器具において、所定長さを有する本体部と、該本体部にそれぞれ一端のみ固定され、他端が自由端とされ、前記給・排気の風力によってなびき得るように軽量に形成された複数の風動体と、を有し、前記複数の風動体は、複数の異なる比重のものが混在して設けられている。
【００１１】
この構成によれば、当該風力検査器具を検査対象である室内の給気口及び排気口に近づけることだけで、当該給気口及び排気口における吹き出し、吸い込みの風力を視覚的に検知することが可能である。すなわち、風動体は、風になびくものであり、給気口及び排気口に近づけられることで、なびいた状態となる。このなびき状態が得られることで、その給気口及び排気口における吹き出し、及び吸い込みの動作は行われているという確認を行うことができる。
【００１２】
更に、本発明では、風動体は異なる比重のものが混在しているので、風動体の風になびく状態は、一様ではなく、その比重に応じた動作となる。すなわち、比重の軽い風動体は、小さい風力でもなびく反応は素早く、固定端側を支点としたなびき角度はより大きなものとなる。
【００１３】
排気口における吸い込み動作は、吹き出し動作の場合よりも、風動体のなびき動作は起きにくいが、もっとも軽い風動体の比重は、真上からの吸引動作に対しても持ち上がる程度に軽いものを用いることで、吸引の風力を有効に確認することができる。
【００１４】
また、風力の大小については、異なる比重の複数の風動体の存在により、なびいている風動体の本数、なびき量などによって視覚的に容易に判断することが可能である。したがって、従来のように、確認者の感覚に頼ったり、動きの見にくい紙などを用いる場合のような検査の不安定性は解消される。
【００１５】
請求項２に係る給排気設備の風力検査器具は、請求項１に記載の給排気設備の風力検査器具において、前記風動体が薄いテープ状の樹脂体にて形成され、前記比重のほぼ共通するグループごとに共通の彩色が施されたことを特徴とする。この構成によれば、風力によってなびいている風動体の色を見ることで、風の状態、特に、強さの確認が容易なものとなっている。風動体のなびき方はその比重によって異なることから、比重の軽い風動体のみがなびいている状況では、風は出ている（又は吸っている）が、その強さは弱いものであることが、視覚的に一瞬にして確認される。
【００１６】
請求項３に係る給排気設備の風力検査器具は、請求項１又は２の何れか１項に記載の給排気設備の風力検査器具において、前記風動体の固定は、所定長さに亘って横並びにのれん状に取り付けられて行われたことを特徴とする。この構成によれば、取り付けられた状態の風動体相互の重なり合いを少ないものとすることができ、比重の異なる風動体による異なるなびき量の違いをより明確に確認することが可能となる。また、風動体が幅広く並んで取り付けられた状態が得られるので、給気口及び排気口の全体における部分の風力の相違についても把握することが可能である。したがって、給気口及び排気口のより細かい風力分布チェックが可能となっている。
【発明の効果】
【００１７】
本発明に係る給排気設備の風力検査器具によれば、簡単な構成且つ低廉な製造費で当該風力検査器具を製造することのでき、検査対象である室内の給気口及び排気口に近づけることだけで、その給気口及び排気口における吹き出し、吸い込みの風力を視覚的に検知することができる。本体部の長さは給気口及び排気口の高さに合わせて設定すれば良いので、脚立に登る作業からも解放され、風力確認作業における安全性の確保も達成される。
【図面の簡単な説明】
【００１８】
【図１】実施の形態に係る風力検査器具の全体構成を示す説明図である。
【図２】図１に示した実施の形態に係る風力検査器具を用いて、実際に排気口の風力検査を行っている状態を示す使用状態説明図である。
【図３】図１に示した実施の形態に係る風力検査器具を用いて、実際に給気口の風力検査を行っている状態を示す使用状態説明図である。
【図４】他の実施の形態に係る風力検査器具の全体構成を示す説明図である。
【図５】図４に示した実施の形態に係る風力検査器具を用いて、実際に給気口の風力検査を行っている状態を示す使用状態説明図である。
【発明を実施するための最良の形態】
【００１９】
以下、図面に基づいて本発明の実施の形態について詳細に説明する。図１は、実施の形態に係る給排気設備の風力検査器具１０の全体構成を示しており、図示のように、本体部としてのシャフト部１２の先端（図における上部）に風動体１４が取り付けられて構成されている。
【００２０】
シャフト部１２は、使用者が把持するための把持部１２ａが下端部に設けられており、伸縮部１２ｂの部分の伸縮によって所望の長さに設定可能な構成となっている。
【００２１】
風動体１４は、シャフト部１２の上端部に複数取り付けられており、風になびくように軽量で、それぞれ一端のみが固定され、他端が自由端となっている。すなわち、風によってなびき得る比重となるように、本実施の形態では、それぞれ薄いテープ状の樹脂体にて形成されている。
【００２２】
重要なことは、これら複数の風動体１４は、比重の異なる風動体を混在させて設けていることであり、本実施の形態では、例えば、４段階の比重の異なるグループの風動体を混在させて取り付けている（図示していないが、軽い方から１４ａ、１４ｂ、１４ｃ、１４ｄのグループに分けられている）。
【００２３】
更に特徴的なことは、同じ比重のグループの風動体はそれぞれ同じ色彩に彩色されていることであり、すなわち、本実施の形態では４種類のカラーの風動体１４が混在している。
【００２４】
図２は、図１の実施の形態に係る風力検査器具１０を用いて実際に風力の検査を行っている状態を示している。本図では、例えば排気口１００の吸い込み状態を検査している状態が示されている。
【００２５】
図示のように、シャフト部１２は、排気口１００の高さに合わせて伸長されており、検査者は、脚立などに登って手を伸ばすような作業を行う必要はない。また、図示された状態は、風動体１４の内、最も比重の軽い風動体１４ａが吸い上げられている状態であり、この状態は検査者において簡単且つ明確に認識される。すなわち、検査者は、風動体１４ａの色彩を見ることで、最も軽い風動体だけが吸い上げられていることを認識することができる。したがって、排気口１００における吸い込み状態の確認を視覚的な確認動作だけで行うことが可能となっている。
【００２６】
例えば、本実施の形態に係る風力検査器具１０を用いて室内にある排気口１００を順に検査することで、それぞれの排気口の吸い込み動作がなされているか否か、またその風力の強弱を視覚的に確認していくことが可能である。排気口の風力がほぼ共通してなければならない様な場合に、吸い上げられる風動体１４の色彩の相違が有るような場合には風力の均一性が保たれていない状況を瞬時に明確に確認することができるものである。
【００２７】
図３は、図１の実施の形態に係る風力検査器具１０を用いて、例えば給気口２００の吹き出し状態を検査している状態が示されている。
【００２８】
図２の場合と同様に、シャフト部１２は、給気口２００の高さに合わせて伸長されている。図示された状態は、風動体１４の内、最も比重の軽い風動体１４ａと２番目に軽い風動体１４ｂが吹き上げられている状態にあり、この状態は、上述のように、検査者において簡単且つ明確に認識される。すなわち、検査者は、風動体１４ａの色彩を見ることで、軽い方から２番目までの風動体が吹き上げられていることを視覚的に簡単に認識することができる。図２で説明した状況と同様に、室内にある給気口２００を順に検査することで、それぞれの吹き出し状態を視覚的に確認していくことが可能である。
【００２９】
なお、風動体１４の比重の異なるグループを更に多くの段階に設定することで簡易的な視覚判断ではあってもより、精緻なレベルでの判断を行うことが可能となる。
【００３０】
図４は、他の実施の形態に係る風力検査器具２０を示しており、図示のように、構成において特徴的なことは、風動体１４の固定が、所定長さに亘って横並びに、いわゆるのれん状に取り付けられてなされていることである。本実施の形態では、シャフト部１２の先端にシャフト部１２とほぼ直交する様に取付けバー１３が固定されており、その取付けバー１３に４種類の比重の異なる風動体１４ａ，１４ｂ，１４ｃ，１４ｄが混在して取り付けられている。
【００３１】
この風動体１４ａ，１４ｂ，１４ｃ，１４ｄの取付順は、特に、制限はなくアットランダムな取付で足りるが、検査時における見やすさの観点からは順番に繰り返して同じ色が配置されるように取り付けるのが好適である。
【００３２】
また、この実施の形態に係る風力検査器具２０によれば、取付けバー１３の長さを給気口２００や排気口１００の横幅に対応する長さとしておくことで、一時に全体の吸排気状態を確認することが可能である。このことは、給気口２００や排気口１００における部分的な風力の差も確認できることを意味しており、簡易な構成でありながら、十分に細かい検査が可能となるものである。
【００３３】
図５は、実際に給気口２００の吹き出し状態を検査している状態が示されている。図２、３の場合と同様に、シャフト部１２は、給気口２００の高さに合わせて伸長されている。そして、図示された状態は、風動体１４の内、最も比重の軽い風動体１４ａからと最も重い風動体１４ｄまで、それぞれの比重に対応した角度で吹き上げられている状態であり、且つ給気口２００全域に亘ってほぼ均等に吹き上げられていることが認識されるものである。すなわち、少なくとも当該給気口２００においては、全体としてほぼ均等な吹き出し動作が行われていることが瞬時に確認可能である。この様に、取付けバー１３を用いたのれん状の風動体１４の取り付け形態によれば、風動体相互の重なりを少なくすることができ、１本１本の風動体１４の風に対するなびき反応がより正確に現れ、視覚確認がより明確なものとなる。
【００３４】
また、この様な風動体１４の揺れ角度と吸排気状態の的確性の関係、更にその判断については、他の検査箇所での結果との対比や検査者の経験に基づくものとなるが、この種の検査においては、精密な風量を測定する必要はなく、図示したように、個々の結果が視覚的に明確になされることで、対比も容易であり、十分に有益な検査結果を得ることができるものである。
【００３５】
なお、本発明は上記各実施の形態の構成に限定されるものではなく、発明の要旨の範囲内で種々の変形が可能である。例えば、風動体１４の比重の設定は、任意に行うことができ、また、上記実施の形態のような４段階の比重グループに限らず、より少ない段階、また、より多い段階に分けても良い。また、風動体１４材質についても樹脂に限らず、給気口排気口からの風力によってなびき得る材質で有れば足り、例えば、薄紙をテープ状に構成しても良い。
【符号の説明】
【００３６】
１０  風力検査器具
１２  シャフト部
１２ａ  把持部
１２ｂ  伸縮部
１３  取付けバー  
１４  風動体
１４ａ〜１４ｄ  比重の異なる風動体
【図１】
2011158151.tif 000003
【図２】
2011158151.tif 000004
【図３】
2011158151.tif 000005
【図４】
2011158151.tif 000006
【図５】
2011158151.tif 000007